(57)【要約】【課題】内部に埃が侵入しにくい構造の衛生用紙収納具を提供する。【解決手段】衛生用紙収納具１は、ロール状の衛生用紙９０を収納する箱体６からなる組立式の衛生用紙収納具である。衛生用紙収納具１は、所定の折り線に沿って折り曲げられることにより箱体６となる紙製の板状部材６０を備えている。板状部材６０は、外板部１０及び内板部２０を有している。外板部１０は、箱体６における衛生用紙９０の取出口が形成される面である主面Ｓ１を構成する。内板部２０は、外板部１０の裏面に重なるように設けられており、外板部１０と共に主面Ｓ１を構成する。外板部１０は、外板部１０の表面側に折り曲げられることにより取出口となる開口１４を外板部１０に生じさせる折曲部１２を有している。内板部２０は、内板部２０の表面側に折り曲げられることにより箱体６において開口１４を通過して折曲部１２と向かい合わせになる折曲部２２を有している。【選択図】図３
2018202211.tif 000002
【特許請求の範囲】
【請求項１】
ロール状の衛生用紙を収納する箱体からなる組立式の衛生用紙収納具であって、
所定の折り線に沿って折り曲げられることにより、前記箱体となる紙製の板状部材を備え、
前記板状部材は、
前記箱体における前記衛生用紙の取出口が形成される面である主面を構成する外板部と、
前記箱体において前記外板部の裏面に重なるように設けられ、当該外板部と共に前記主面を構成する内板部と、を有し、
前記外板部は、当該外板部の表面側に折り曲げられることにより前記取出口となる第１の開口を当該外板部に生じさせる第１の折曲部を有し、
前記内板部は、当該内板部の表面側に折り曲げられることにより、前記箱体において前記第１の開口を通過して前記第１の折曲部と向かい合わせになる第２の折曲部を有することを特徴とする衛生用紙収納具。
【請求項２】
請求項１に記載の衛生用紙収納具において、
前記第１の折曲部と前記第１の開口とは、形状及び大きさが互いに等しい衛生用紙収納具。
【請求項３】
請求項１又は２に記載の衛生用紙収納具において、
前記箱体において前記衛生用紙の中心軸に平行な方向を横方向としたとき、
前記第１及び第２の折曲部は、横長の形状をしている衛生用紙収納具。
【請求項４】
請求項３に記載の衛生用紙収納具において、
前記第１の折曲部の横方向の長さは、前記外板部の横方向の長さの６０％以上８０％以下である衛生用紙収納具。
【請求項５】
請求項３又は４に記載の衛生用紙収納具において、
前記第２の折曲部の横方向の長さは、前記第１の折曲部の横方向の長さに等しい衛生用紙収納具。
【請求項６】
請求項３乃至５の何れかに記載の衛生用紙収納具において、
前記第２の折曲部の縦方向の長さは、前記第１の折曲部の縦方向の長さよりも大きい衛生用紙収納具。
【請求項７】
請求項６に記載の衛生用紙収納具において、
前記第１及び第２の折曲部の縦方向の長さの差は、５ｍｍ以上１０ｍｍ以下である衛生用紙収納具。
【請求項８】
請求項３乃至７の何れかに記載の衛生用紙収納具において、
前記第１の折曲部の縦方向の長さは、７ｍｍ以上１５ｍｍ以下である衛生用紙収納具。
【請求項９】
請求項３乃至８の何れかに記載の衛生用紙収納具において、
前記第２の折曲部の縦方向の長さは、１２ｍｍ以上２５ｍｍ以下である衛生用紙収納具。
【請求項１０】
請求項１乃至９の何れかに記載の衛生用紙収納具において、
前記第２の折曲部の先端辺は、複数の凸部を有する衛生用紙収納具。
【請求項１１】
請求項１０に記載の衛生用紙収納具において、
前記先端辺が有する前記複数の凸部は、先端が角張った凸部である角凸部を含む衛生用紙収納具。
【請求項１２】
請求項１１に記載の衛生用紙収納具において、
前記先端辺が有する前記複数の凸部は、先端が丸みを帯びた凸部である丸凸部を含む衛生用紙収納具。
【請求項１３】
請求項１２に記載の衛生用紙収納具において、
前記先端辺において最端に位置する前記凸部は、前記丸凸部である衛生用紙収納具。
【請求項１４】
請求項１０乃至１３の何れかに記載の衛生用紙収納具において、
前記先端辺において最端に位置する前記凸部は、当該先端辺において最端以外に位置する前記凸部よりも出っ張っている衛生用紙収納具。
【請求項１５】
請求項１乃至１４の何れかに記載の衛生用紙収納具において、
前記第２の折曲部の先端辺は、凹部を有し、
前記凹部は、当該凹部を通じて前記衛生用紙を摘めるように構成されている衛生用紙収納具。
【請求項１６】
請求項１５に記載の衛生用紙収納具において、
前記凹部は、前記先端辺の中央に設けられている衛生用紙収納具。
【請求項１７】
請求項１乃至１６の何れかに記載の衛生用紙収納具において、
前記箱体において前記第２の折曲部の折目は、平面視で、前記第１の開口の外側に存在する衛生用紙収納具。
【請求項１８】
請求項１乃至１７の何れかに記載の衛生用紙収納具において、
前記第２の折曲部は、前記内板部の表面側に折り曲げられることにより前記第１の開口に重なる第２の開口を前記内板部に生じさせる衛生用紙収納具。
【請求項１９】
請求項１乃至１８の何れかに記載の衛生用紙収納具において、
当該衛生用紙収納具の使用時、前記第１の折曲部は、前記主面の斜め上方に折り曲げられた状態にある衛生用紙収納具。
【請求項２０】
請求項１９に記載の衛生用紙収納具において、
前記第１の折曲部は、前記主面の斜め上方に折り曲げられた状態で前記第２の折曲部に接する衛生用紙収納具。
【請求項２１】
請求項１乃至２０の何れかに記載の衛生用紙収納具において、
当該衛生用紙収納具の使用時、前記第２の折曲部は、前記主面の斜め上方に折り曲げられた状態にある衛生用紙収納具。
【請求項２２】
請求項２１に記載の衛生用紙収納具において、
前記第２の折曲部は、前記主面の斜め上方に折り曲げられた状態で前記第１の折曲部に接する衛生用紙収納具。
【請求項２３】
請求項１乃至２２の何れかに記載の衛生用紙収納具において、
前記板状部材は、
前記箱体における前記主面と対向する面である底面を構成する底板部と、
前記箱体における前記主面と交わる面である４つの側面を構成する４つの側板部と、を有する衛生用紙収納具。
【請求項２４】
請求項２３に記載の衛生用紙収納具において、
前記底板部は、矩形状をしており、
前記４つの側板部は、前記底板部の各辺に連設されている衛生用紙収納具。
【請求項２５】
請求項２３に記載の衛生用紙収納具において、
前記板状部材において前記４つの側板部は、一連に設けられている衛生用紙収納具。
【請求項２６】
請求項２３乃至２５の何れかに記載の衛生用紙収納具において、
前記４つの側板部のうち少なくとも１つには、前記箱体において他の側板部に重なるように設けられた糊代部が連設されている衛生用紙収納具。
【請求項２７】
請求項２３乃至２６の何れかに記載の衛生用紙収納具において、
前記板状部材は、前記外板部に連設された第１の補助部を有し、
前記外板部と前記第１の補助部との境界に沿って第１のスリットが設けられており、
前記４つの側板部の何れか１つには、前記第１のスリットに挿入される第１の爪部が連設されている衛生用紙収納具。
【請求項２８】
請求項２３乃至２７の何れかに記載の衛生用紙収納具において、
前記板状部材は、前記内板部に連設された第２の補助部を有し、
前記内板部と前記第２の補助部との境界に沿って第２のスリットが設けられており、
前記４つの側板部の何れか１つには、前記第２のスリットに挿入される第２の爪部が連設されている衛生用紙収納具。
【発明の詳細な説明】
【技術分野】
【０００１】
本発明は、ロール状の衛生用紙を収納する組立式の衛生用紙収納具に関する。
【背景技術】
【０００２】
従来の衛生用紙収納具としては、例えば特許文献１に記載されたものがある。同文献に記載された衛生用紙収納具は、ロール状の衛生用紙（ロールペーパー）を収納する紙製の箱体からなる。衛生用紙収納具の１つの面には、使用時に衛生用紙を引き出すための開口（引き出し口）が設けられている。
【先行技術文献】
【特許文献】
【０００３】
【特許文献１】特開２０１５−２０８５０２号公報
【発明の概要】
【発明が解決しようとする課題】
【０００４】
上述の衛生用紙収納具においては、開口を通じて衛生用紙の一端を引っ張ることにより、所望の長さの衛生用紙を引き出すことができる。しかしながら、開口が常に開放された状態にあるため、当該開口を通じて衛生用紙収納具の内部に埃が侵入しやすいという問題がある。
【０００５】
本発明は、上記課題に鑑みてなされたものであり、内部に埃が侵入しにくい構造の衛生用紙収納具を提供することを目的とする。
【課題を解決するための手段】
【０００６】
本発明による衛生用紙収納具は、ロール状の衛生用紙を収納する箱体からなる組立式の衛生用紙収納具であって、所定の折り線に沿って折り曲げられることにより、上記箱体となる紙製の板状部材を備え、上記板状部材は、上記箱体における上記衛生用紙の取出口が形成される面である主面を構成する外板部と、上記箱体において上記外板部の裏面に重なるように設けられ、当該外板部と共に上記主面を構成する内板部と、を有し、上記外板部は、当該外板部の表面側に折り曲げられることにより上記取出口となる第１の開口を当該外板部に生じさせる第１の折曲部を有し、上記内板部は、当該内板部の表面側に折り曲げられることにより、上記箱体において上記第１の開口を通過して上記第１の折曲部と向かい合わせになる第２の折曲部を有することを特徴とする。
【０００７】
この衛生用紙収納具においては、折り線に沿って板状部材を折り曲げることにより、箱体が得られる。板状部材は、箱体における取出口の形成面（主面）を構成する外板部及び内板部を有している。外板部及び内板部には、それぞれ、主面の上方（外板部及び内板部の表面側）に折り曲げられる第１及び第２の折曲部が設けられている。第１の折曲部は、折り曲げられることにより、取出口となる第１の開口を外板部に生じさせる。第２の折曲部は、折り曲げられることにより、第１の開口を通過して第１の折曲部と向かい合わせになる。このため、折り曲げられた第１及び第２の折曲部は、取出口（第１の開口）の上方において互いに向かい合わせとなる。これにより、かかる折曲部が存在しない場合に比して、取出口を通じて箱体（衛生用紙収納具）の内部に埃が侵入しにくくなる。
【発明の効果】
【０００８】
本発明によれば、内部に埃が侵入しにくい構造の衛生用紙収納具が実現される。
【図面の簡単な説明】
【０００９】
【図１】本発明による衛生用紙収納具の一実施形態を示す斜視図である。
【図２】図１のII−II線に沿った端面図である。
【図３】組立前の衛生用紙収納具１を示す平面図（展開図）である。
【図４】外板部１０を示す平面図である。
【図５】内板部２０を示す平面図である。
【図６】箱体６から衛生用紙９０を引き出す様子を示す端面図である。
【図７】衛生用紙収納具１の効果を説明するための平面図である。
【図８】図７のVIII−VIII線に沿った端面図である。
【図９】衛生用紙収納具１の効果を説明するための端面図である。
【図１０】一変形例に係る折曲部２２を示す平面図である。
【図１１】他の変形例に係る折曲部２２を示す平面図である。
【図１２】他の変形例に係る折曲部２２を示す平面図である。
【図１３】他の変形例に係る折曲部２２を示す平面図である。
【図１４】図１３の凹部５４の機能について説明するための平面図である。
【図１５】他の変形例に係る折曲部２２を示す平面図である。
【図１６】一変形例に係る板状部材６０を示す平面図である。
【図１７】一変形例に係る側板部６４を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による衛生用紙収納具の一実施形態を示す斜視図である。また、図２は、図１のII−II線に沿った端面図である。衛生用紙収納具１は、ロール状の衛生用紙９０を収納する箱体６からなる組立式の衛生用紙収納具である。図１及び図２は、組立後の衛生用紙収納具１を示している。本実施形態において箱体６は、全体が厚紙からなる。箱体６は、直方体状をしている。
【００１２】
衛生用紙９０としては、例えば、ティッシュペーパー、トイレットペーパー、ペーパータオル等が挙げられる。ここで、ロール状の衛生用紙９０とは、帯状の衛生用紙９０がその短手方向に平行な軸周りに巻回されたものをいう。衛生用紙９０の中心部には、円筒状の芯が設けられていてもよいし、かかる芯が設けられていなくてもよい。
【００１３】
衛生用紙収納具１は、外板部１０及び内板部２０を備えている。外板部１０は、箱体６の主面Ｓ１を構成している。主面Ｓ１は、衛生用紙９０の取出口が形成される面である。衛生用紙収納具１は、主面Ｓ１を上向きにして使用されてもよいし、主面Ｓ１を横向きにして使用されてもよい。
【００１４】
内板部２０は、外板部１０の裏面に重なるように設けられており、外板部１０と共に主面Ｓ１を構成している。このように、主面Ｓ１は、外板部１０及び内板部２０からなる二重構造をしている。
【００１５】
図３は、組立前の衛生用紙収納具１を示す平面図（展開図）である。衛生用紙収納具１は、板状部材６０を備えている。同図は、板状部材６０の表面側を示している。板状部材６０は、紙製である。本実施形態において板状部材６０は、厚紙製である。板状部材６０は、平坦なシート状をしており、１枚の厚紙から形成されている。板状部材６０は、所定の折り線（後述する山折線及び谷折線）に沿って折り曲げられることにより、上述の箱体６となる。折り線には、当該折り線に沿って板状部材６０を折り曲げやすいように、折り筋が予め形成されていることが好ましい。ただし、折り線は、ユーザに折目となる位置を知らせるための、板状部材６０に印刷された線のみからなっていてもよい。本実施形態において箱体６は、１枚の板状部材６０のみによって構成される。
【００１６】
板状部材６０は、上述の外板部１０及び内板部２０に加えて、底板部６１、及び４つの側板部６２，６３，６４，６５を有している。外板部１０、内板部２０、底板部６１及び各側板部６２，６３，６４，６５は、矩形状をしている。これらの各部の１辺の長さは、例えば、１１０ｍｍ〜１２５ｍｍ程度である。底板部６１は、箱体６における主面Ｓ１と対向する面である底面を構成する。側板部６２，６３，６４，６５は、箱体６における主面Ｓ１と交わる面である４つの側面を構成する。
【００１７】
底板部６１の各辺には、側板部６２，６３，６４，６５が連設されている。底板部６１と各側板部６２，６３，６４，６５との境界上には、山折線が設けられている。４つの側板部６２，６３，６４，６５の少なくとも１つには、糊代部７２が連設されている。糊代部７２は、箱体６において他の側板部６２，６３，６４，６５の裏面に重なるように設けられている。衛生用紙収納具１の組立時、糊代部７２の表面には、糊等の接着剤が必要に応じて塗布される。本実施形態において糊代部７２は、側板部６２及び側板部６４に連設されている。詳細には、側板部６２の両端に糊代部７２が連設されるとともに、側板部６４の両端に糊代部７２が連設されている。側板部６２と各糊代部７２との境界上には、山折線が設けられている。同様に、側板部６４と各糊代部７２との境界上にも、山折線が設けられている。
【００１８】
側板部６２には、外板部１０が連設されている。側板部６２と外板部１０との境界上には、山折線が設けられている。外板部１０には、補助部７４（第１の補助部）が連設されている。外板部１０と補助部７４との境界上には、山折線が設けられている。また、外板部１０と補助部７４との境界に沿って、スリット７５（第１のスリット）が設けられている。
【００１９】
４つの側板部６２，６３，６４，６５の何れか１つには、スリット７５に挿入される爪部７６（第１の爪部）が連設されている。本実施形態において爪部７６は、側板部６４に連設されている。側板部６４と爪部７６との境界上には、山折線が設けられている。
【００２０】
側板部６５には、内板部２０が連設されている。側板部６５と内板部２０との境界上には、山折線が設けられている。内板部２０には、補助部７７（第２の補助部）が連設されている。内板部２０と補助部７７との境界上には、山折線が設けられている。また、内板部２０と補助部７７との境界に沿って、スリット７８（第２のスリット）が設けられている。
【００２１】
４つの側板部６２，６３，６４，６５の何れか１つには、スリット７８に挿入される爪部７９（第２の爪部）が連設されている。本実施形態において爪部７９は、側板部６３に連設されている。側板部６３と爪部７９との境界上には、山折線が設けられている。
【００２２】
図４は、外板部１０を示す平面図である。同図は、図３に示す外板部１０を上下及び左右に反転させて示している。外板部１０は、折曲部１２（第１の折曲部）を有している。折曲部１２は、外板部１０の表面側に折り曲げられることにより、取出口となる開口１４（第１の開口）を外板部１０に生じさせる（図１及び図２参照）。折曲部１２と開口１４とは、形状及び大きさが互いに等しい。
【００２３】
箱体６において衛生用紙９０の中心軸に平行な方向を横方向（図３及び図４の上下方向）としたとき、折曲部１２は、横長の形状をしている。ここで、衛生用紙９０の中心軸とは、ロール状の衛生用紙９０を円柱又は円筒と見た場合における当該円柱又は円筒の中心軸に相当する仮想的な軸をいう。本実施形態において折曲部１２は、長方形状をしている。折曲部１２の横方向の長さｄ１は、外板部１０の横方向の長さｄ２の６０％以上８０％以下であることが好ましい。折曲部１２の縦方向（図３及び図４の左右方向）の長さｄ３は、例えば、７ｍｍ以上１５ｍｍ以下である。
【００２４】
外板部１０には、切込線として、ミシン目３２、ミシン目３４及びミシン目３６が形成されている。また、外板部１０には、谷折線３８が形成されている。これらのミシン目３２，３４，３６と谷折線３８とで囲まれた部分が、折曲部１２である。ミシン目３２及び谷折線３８は、横方向に延在する直線に沿って形成されている。ミシン目３４及びミシン目３６は、縦方向に延在する直線に沿って形成されている。ミシン目３４は、ミシン目３２の一端と谷折線３８の一端とを結んでいる。ミシン目３６は、ミシン目３２の他端と谷折線３８の他端とを結んでいる。ミシン目３２，３４，３６に沿って外板部１０に切目を入れることにより、谷折線３８を折目として折曲部１２を外板部１０の表面側に折り曲げられるようになる。
【００２５】
図５は、内板部２０を示す平面図である。内板部２０は、折曲部２２（第２の折曲部）を有している。折曲部２２は、内板部２０の表面側に折り曲げられることにより、箱体６において開口１４に重なる開口２４（第２の開口）を内板部２０に生じさせる（図２参照）。折曲部２２と開口２４とは、形状及び大きさが互いに等しい。また、折曲部２２は、内板部２０の表面側に折り曲げられることにより、箱体６において開口１４を通過して折曲部１２と向かい合わせになる。ここで、折曲部１２と折曲部２２とが向かい合わせになるとは、折曲部１２の裏面と折曲部２２の裏面とが対向するということである。
【００２６】
折曲部２２は、横長の形状をしている。本実施形態において折曲部２２は、長方形状をしている。折曲部２２の横方向の長さｄ４は、折曲部１２の横方向の長さｄ１に等しい。折曲部２２の縦方向の長さｄ５は、折曲部１２の縦方向の長さｄ３よりも大きい。折曲部１２及び折曲部２２の縦方向の長さの差（ｄ５−ｄ３）は、５ｍｍ以上１０ｍｍ以下であることが好ましい。折曲部２２の縦方向の長さｄ５は、例えば、１２ｍｍ以上２５ｍｍ以下である。
【００２７】
内板部２０には、切込線として、ミシン目４２、ミシン目４４及びミシン目４６が形成されている。また、内板部２０には、、谷折線４８が形成されている。これらのミシン目４２，４４，４６と谷折線４８とで囲まれた部分が、折曲部２２である。ミシン目４２及び谷折線４８は、横方向に延在する直線に沿って形成されている。ミシン目４４及びミシン目４６は、縦方向に延在する直線に沿って形成されている。ミシン目４４は、ミシン目４２の一端と谷折線４８の一端とを結んでいる。ミシン目４６は、ミシン目４２の他端と谷折線４８の他端とを結んでいる。
【００２８】
外板部１０及び内板部２０が重ね合わされた状態のとき、ミシン目４２は、平面視で、谷折線３８よりも外側（図４及び図５の左側）に位置する。同様の状態のとき、ミシン目４４、ミシン目４６及び谷折線４８は、平面視で、それぞれミシン目３４、ミシン目３６及びミシン目３２に略一致する。ただし、谷折線４８は、平面視で、ミシン目３２よりも外側（図４及び図５の右側）に位置してもよい。その場合、折曲部１２，２２が折り曲げられた後、折曲部２２の折目は、平面視で、開口１４の外側に存在することになる。ミシン目４２，４４，４６に沿って内板部２０に切目を入れることにより、谷折線４８を折目として折曲部２２を内板部２０の表面側に折り曲げられるようになる。
【００２９】
図３に戻って、衛生用紙収納具１の組立方法の一例を説明する。まず、折曲部１２及び折曲部２２をそれぞれ外板部１０及び内板部２０の表面側に折り曲げる。次に、糊代部７２を側板部６２及び側板部６４に対して略直角になるように山折りする。続いて、側板部６２，６３，６４，６５を底板部６１に対して略直角になるように山折りする。このとき、糊代部７２が側板部６３及び側板部６５の裏面に重なるようにする。これにより、箱体６の底面と４つの側面とが得られる。
【００３０】
その後、補助部７７を内板部２０に対して略直角になるように山折りするとともに、内板部２０を側板部６５に対して略直角になるように山折りすることにより、内板部２０を底板部６１に対向させる。このとき、補助部７７が側板部６３の裏面に重なるようにしつつ、爪部７９を山折りしてスリット７８に挿入する。次に、補助部７４を外板部１０に対して略直角になるように山折りするとともに、外板部１０を側板部６２に対して略直角になるように山折りすることにより、折曲部２２が開口１４を通過するようにしながら外板部１０を内板部２０上に重ねる。このとき、補助部７４が側板部６４の裏面に重なるようにしつつ、爪部７６を山折りしてスリット７５に挿入する。以上により、図１に示す衛生用紙収納具１が得られる。
【００３１】
組立後の衛生用紙収納具１は、折曲部１２及び折曲部２２が主面Ｓ１の上方（外板部１０及び内板部２０の表面側）に折り曲げられた状態で使用される。本実施形態においては、折曲部１２が折曲部２２に向かって主面Ｓ１の斜め上方に折り曲げられるとともに、折曲部２２が折曲部１２に向かって主面Ｓ１の斜め上方に折り曲げられる。すなわち、衛生用紙収納具１の使用時、折曲部１２及び折曲部２２は、主面Ｓ１の斜め上方に折り曲げられた状態にある。折曲部１２及び折曲部２２は、主面Ｓ１の斜め上方に折り曲げられた状態（かつ折曲部１２と折曲部２２との間に衛生用紙９０が介在しない状態）で、互いに接することが好ましい。折曲部２２の先端を構成する辺である先端辺２２ａの主面Ｓ１からの高さｈ２（図２参照）は、折曲部１２の先端を構成する辺である先端辺１２ａの主面Ｓ１からの高さｈ１よりも大きい。
【００３２】
図６に示すように、取出口（開口１４）を通じて衛生用紙９０の一端を引っ張ることにより、所望の長さの衛生用紙９０を衛生用紙収納具１（箱体６）から引き出すことができる。
【００３３】
衛生用紙収納具１の効果を説明する。衛生用紙収納具１においては、折り線に沿って板状部材６０を折り曲げることにより、箱体６が得られる。板状部材６０は、箱体６における取出口の形成面（主面Ｓ１）を構成する外板部１０及び内板部２０を有している。外板部１０及び内板部２０には、それぞれ、主面Ｓ１の上方（外板部１０及び内板部２０の表面側）に折り曲げられる折曲部１２及び折曲部２２が設けられている。折曲部１２は、折り曲げられることにより、取出口となる開口１４を外板部１０に生じさせる。折曲部２２は、折り曲げられることにより、開口１４を通過して折曲部２２と向かい合わせになる。このため、折り曲げられた折曲部１２及び折曲部２２は、取出口（開口１４）の上方において互いに向かい合わせとなる。これにより、かかる折曲部が存在しない場合に比して、取出口を通じて箱体６（衛生用紙収納具１）の内部に埃が侵入しにくくなる。したがって、内部に埃が侵入しにくい構造の衛生用紙収納具１が実現されている。
【００３４】
また、折り曲げられた折曲部１２，２２が取出口の上方で互いに向かい合わせとなるため、取出口から引き出された衛生用紙９０が折曲部１２，２２によって保持され、箱体６の中に落ち込みにくいという利点もある。
【００３５】
衛生用紙収納具１において箱体６は、板状部材６０を組み立てることにより得られる。それゆえ、組立前の衛生用紙収納具１は、平面的な形状をしている。このため、衛生用紙収納具１は、収納時や運搬時に嵩張りにくい。
【００３６】
衛生用紙収納具１の使用時、折曲部１２は、主面Ｓ１の斜め上方に折り曲げられた状態にある。この場合、平面視で、すなわち主面Ｓ１に垂直な方向から見たとき、折り曲げられた折曲部１２が取出口の一部に重なる。このため、折曲部１２が主面Ｓ１の垂直上方に折り曲げられた場合に比して、埃が一層侵入しにくくなる。
【００３７】
折曲部１２が主面Ｓ１の斜め上方に折り曲げられた状態で折曲部２２に接する場合、折曲部１２が折曲部２２から離間している場合に比して、埃の侵入経路が狭くなるため、埃が一層侵入しにくくなる。また、折曲部１２の衛生用紙９０に対する保持力を高めるのに有利である。
【００３８】
折曲部１２と開口１４とは、形状及び大きさが互いに等しい。この場合、外板部１０に切り抜き部分を設ける必要がないため、外板部１０の形成が容易となる。
【００３９】
衛生用紙収納具１の使用時、折曲部２２は、主面Ｓ１の斜め上方に折り曲げられた状態にある。この場合、平面視で、折り曲げられた折曲部２２が取出口の少なくとも一部に重なる。このため、折曲部２２が主面Ｓ１の垂直上方に折り曲げられた場合に比して、埃が一層侵入しにくくなる。
【００４０】
折曲部２２が主面Ｓ１の斜め上方に折り曲げられた状態で折曲部１２に接する場合、折曲部２２が折曲部１２から離間している場合に比して、埃の侵入経路が狭くなるため、埃が一層侵入しにくくなる。また、折曲部２２の衛生用紙９０に対する保持力を高めるのに有利である。
【００４１】
主面Ｓ１は、外板部１０及び内板部２０からなる二重構造をしている。これにより、主面Ｓ１の強度を高めることができる。また、この場合、縦方向について、折曲部１２の長さｄ３と折曲部２２の長さｄ５との和を、開口１４の長さ（折曲部１２の長さｄ３に等しい。）よりも大きくすることができる。このことは、埃の侵入を防ぐのに有利である。
【００４２】
これに対し、主面Ｓ１が図７に示す１枚の厚紙１００のみからなる場合を考える。図８は、図７のVIII−VIII線に沿った端面図である。厚紙１００には、主面Ｓ１の上方に折り曲げられることにより互いに向かい合わせとなる折曲部１０２，１０４が設けられている。なお、図７は折曲部１０２，１０４が折り曲げられる前の状態を示し、図８は折曲部１０２，１０４が折り曲げられた後の状態を示している。折曲部１０２，１０４が折り曲げられることにより、厚紙１００に取出口となる開口１０６が生じる。このように主面Ｓ１を１枚の厚紙で構成した場合であっても、２つの折曲部１０２，１０４が取出口（開口１０６）の上方で互いに向かい合わせとなる構造を実現することが可能である。
【００４３】
しかしながら、この場合、縦方向（図７及び図８の左右方向）について、折曲部１０２の長さと折曲部１０４の長さとの和を、開口１０６の長さよりも大きくすることができないという問題がある。また、折曲部１０２，１０４を折り曲げると、両者の間には必ず隙間が生じることになる。そのため、折曲部１０２，１０４が折り曲げられた状態で両者が互いに接する構造を実現できないという問題もある。
【００４４】
折曲部１２及び折曲部２２は、横長の形状をしている。この場合、取出口の形状も横長になるため、衛生用紙９０を取り出しやすくなる。
【００４５】
折曲部１２の横方向の長さｄ１が大きすぎると、横方向について取出口から外板部１０の端までの距離が小さくなり、外板部１０ひいては主面Ｓ１の強度が不充分になるおそれがある。かかる観点から、長さｄ１は、外板部１０の横方向の長さｄ２の８０％以下であることが好ましい。他方、長さｄ１が小さすぎると、取出口の横方向の長さも小さくなり、衛生用紙９０を取り出しにくくなるおそれがある。かかる観点から、長さｄ１は、長さｄ２の６０％以上であることが好ましい。
【００４６】
折曲部２２の横方向の長さｄ４は、折曲部１２の横方向の長さｄ１に等しい。この場合、横方向について取出口の全体に折曲部２２が延在することになるため、埃の侵入を防ぐのに有利である。ただし、長さｄ４を長さｄ１より僅かに（例えば０．１ｍｍ〜３ｍｍ程度）小さくしてもよい。そうすることにより、折曲部２２が開口１４を通過しやすくなり、衛生用紙収納具１の組立てが容易になる。
【００４７】
折曲部２２の縦方向の長さｄ５は、折曲部１２の縦方向の長さｄ３よりも大きい。この場合、折曲部１２，２２が折り曲げられた状態で、折曲部２２の先端辺２２ａの高さｈ２を、折曲部１２の先端辺１２ａの高さｈ１よりも大きくしやすくなる。このように高さｈ２を高さｈ１よりも大きくすることにより、図９に示すように、折曲部２２の先端辺２２ａの位置で衛生用紙９０を切断したときに、先端辺１２ａと先端辺２２ａとの間に衛生用紙９０を残すことができる。これにより、衛生用紙９０を再び引き出す際に、衛生用紙９０の一端を摘みやすくなる。
【００４８】
折曲部２２の折目が平面視で開口１４の外側に存在する場合、折曲部２２を折り曲げる際、折曲部２２に開口１４の縁が干渉する。このため、折曲部２２の折曲げ角度が大きくなりすぎるのを規制することができる。これにより、折曲部２２が主面Ｓ１の斜め上方に折り曲げられた状態を維持しやすくなる。かかる観点から、折曲部１２，２２が折り曲げられる前の状態における谷折線４８とミシン目３２との平面視での間隔は、０．１ｍｍ〜０．５ｍｍ程度とすることが好ましい。
【００４９】
折曲部２２は、内板部２０の表面側に折り曲げられることにより、開口１４に重なる開口２４を内板部２０に生じさせる。この場合、取出口の周囲全体を包囲するように内板部２０が外板部１０の裏面を覆うため、主面Ｓ１の強度を高めるのに有利である。
【００５０】
板状部材６０は、底板部６１の各辺に連設された側板部６２，６３，６４，６５を有している。かかる構成により、底板部６１の各辺に沿って側板部６２，６３，６４，６５を折り曲げるだけで、箱体６の底面及び側面を容易に形成することができる。
【００５１】
側板部６２，６３，６４，６５の少なくとも１つには、糊代部７２が連設されている。これにより、当該糊代部７２が連設された側板部と他の側板部とを接着剤によって確実に固定することができる。
【００５２】
板状部材６０は、外板部１０に連設された補助部７４を有している。そして、外板部１０と補助部７４との境界に沿ってスリット７５が設けられるとともに、側板部６２，６３，６４，６５の１つに爪部７６が連設されている。これにより、接着剤を用いなくても、外板部１０を側板部に固定することができる。また、組立後の衛生用紙収納具１において外板部１０が開閉自在となるため、箱体６に対して衛生用紙９０を出し入れしやすくなる。
【００５３】
板状部材６０は、内板部２０に連設された補助部７７を有している。そして、内板部２０と補助部７７との境界に沿ってスリット７８が設けられるとともに、側板部６２，６３，６４，６５の１つに爪部７９が連設されている。これにより、接着剤を用いなくても、内板部２０を側板部に固定することができる。また、組立後の衛生用紙収納具１において内板部２０が開閉自在となるため、箱体６に対して衛生用紙９０を出し入れしやすくなる。
【００５４】
本発明は、上記実施形態に限定されるものではなく、様々な変形が可能である。上記実施形態においては、折曲部２２の先端辺２２ａが直線状をしている場合を例示した。しかし、先端辺２２ａは、図１０に示すように、複数の凸部５２を有していてもよい。同図において、先端辺２２ａが有する複数の凸部５２は、先端が角張った凸部である角凸部と、先端が丸みを帯びた凸部である丸凸部とを含んでいる。先端辺２２ａにおいて最端に位置する凸部５２ａは、先端辺２２ａにおいて最端以外に位置する凸部５２ｂよりも出っ張っている。凸部５２ａは丸凸部であり、凸部５２ｂは角凸部である。なお、本例におけるように折曲部２２の縦方向の寸法が一定でない場合、当該寸法の最大値をもって折曲部２２の縦方向の長さｄ５とする。
【００５５】
このように本例においては、先端辺２２ａに複数の凸部５２が設けられている。これにより、折曲部２２の衛生用紙に対する保持力を強化することができる。複数の凸部５２は、角凸部を含んでいる。かかる角凸部を用いることにより、折曲部２２の先端辺２２ａで衛生用紙９０を切断しやすくなる。先端辺２２ａにおいて最端に位置する凸部５２ａは、最端以外に位置する凸部５２ｂよりも出っ張っている。丸凸部である凸部５２ａを出っ張らせることにより、ユーザ（特に子供）が角凸部である凸部５２ｂに触れて怪我をするリスクを低減することができる。
【００５６】
ただし、凸部５２ａを凸部５２ｂよりも出っ張らせることは、必須でない。すなわち、先端辺２２ａが有する全ての凸部５２の先端が揃っていてもよい。また、図１１に示すように先端辺２２ａが有する全ての凸部５２を角凸部としてもよいし、図１２に示すように先端辺２２ａが有する全ての凸部５２を丸凸部としてもよい。
【００５７】
上記実施形態において先端辺２２ａは、図１３に示すように、凹部５４を有していてもよい。同図において凹部５４は、凹部５４を通じて衛生用紙９０を摘めるように構成されている。すなわち、凹部５４は、図１４に示すように、衛生用紙９０における凹部５４に重なる部分（斜線部分）を２本の指（通常、親指と人差指）で摘むのに充分な大きさを有している。本例において凹部５４は、半円状をしている。また、凹部５４は、先端辺２２ａの中央に設けられている。なお、先端辺２２ａにおける凹部５４が設けられていない領域には、図１５に示すように、上述の凸部５２（角凸部及び／又は丸凸部）を設けてもよい。
【００５８】
このように本例においては、先端辺２２ａに凹部５４が設けられている。これにより、先端辺２２ａの位置で衛生用紙９０を切断した後、衛生用紙９０を再び引き出す際に、衛生用紙９０の一端を摘みやすくなる。凹部５４は、先端辺２２ａの中央に設けられている。これにより、凹部５４を通じて衛生用紙９０の中央付近を摘めるため、衛生用紙９０をバランスよく引き出すことができる。
【００５９】
上記実施形態においては、各切込線がミシン目（ミシン目３２，３４，３６，４２，４４，４６）である場合を例示した。すなわち、切込線の両側に力を加えたときに初めて当該切込線に沿って切目が入るように構成されている場合を例示した。しかし、切込線には、予め切目が入っていてもよい。
【００６０】
上記実施形態においては、４つの側板部６２，６３，６４，６５が底板部６１の各辺に連設された場合を例示した。しかし、板状部材６０において４つの側板部６２，６３，６４，６５は、図１６に示すように、一連に設けられていてもよい。同図において底板部６１は、４つの紙片６１ａ，６１ｂ，６１ｃ，６１ｄに分かれている。これらの紙片６１ａ，６１ｂ，６１ｃ，６１ｄは、それぞれ側板部６２，６３，６４，６５に連設されている。衛生用紙収納具１の組立時、紙片６１ａ上に紙片６１ｂ，６１ｄを重ねるとともに、紙片６１ｃの凸部を紙片６１ａの凹部に差し込みながら紙片６１ｂ，６１ｄ上に６１ｃを重ねることにより、箱体６の底面を得ることができる。かかる構成の場合、側板部６２，６３，６４，６５どうしの間に継目が１か所（側板部６３と側板部６４との間）しか生じないため、組立後の衛生用紙収納具１において側面からの埃の侵入を防ぐのに有利となる。
【００６１】
上記実施形態において側板部６４には、図１７に示すように、爪部７６に連続する切込線６４ａが設けられていてもよい。同図において切込線６４ａは、爪部７６の両端から側板部６４の内部に向かって延在している。かかる切込線６４ａを設けることにより、爪部７６の可動域が広がるため、組立時に爪部７６をスリット７５に挿入しやすくなる。同様に、側板部６３にも、爪部７９に連続する切込線を設けてもよい。
【符号の説明】
【００６２】
１  衛生用紙収納具
６  箱体
１０  外板部
１２  折曲部（第１の折曲部）
１２ａ  先端辺
１４  開口（第１の開口）
２０  内板部
２２  折曲部（第２の折曲部）
２２ａ  先端辺
２４  開口（第２の開口）
３２  ミシン目
３４  ミシン目
３６  ミシン目
３８  谷折線
４２  ミシン目
４４  ミシン目
４６  ミシン目
４８  谷折線
５２  凸部
５４  凹部
６０  板状部材
６１  底板部
６２  側板部
６３  側板部
６４  側板部
６５  側板部
７２  糊代部
７４  補助部（第１の補助部）
７５  スリット（第１のスリット）
７６  爪部（第１の爪部）
７７  補助部（第２の補助部）
７８  スリット（第２のスリット）
７９  爪部（第２の爪部）
９０  衛生用紙
【図１】
2018202211.tif 000003
【図２】
2018202211.tif 000004
【図３】
2018202211.tif 000005
【図４】
2018202211.tif 000006
【図５】
2018202211.tif 000007
【図６】
2018202211.tif 000008
【図７】
2018202211.tif 000009
【図８】
2018202211.tif 000010
【図９】
2018202211.tif 000011
【図１０】
2018202211.tif 000012
【図１１】
2018202211.tif 000013
【図１２】
2018202211.tif 000014
【図１３】
2018202211.tif 000015
【図１４】
2018202211.tif 000016
【図１５】
2018202211.tif 000017
【図１６】
2018202211.tif 000018
【図１７】
2018202211.tif 000019